(57)【要約】  内蔵されたレンズを介した表示パネルの観察が可能な表示装置において、各種操作を行う際にも手間を要することなく、簡単に取り扱うことができる表示装置を提供する。表示装置は、互いに向かい合う２つの端面において開口する空間が内部に形成された筐体と、該空間に配置された２つのレンズと、表示パネルを有し、上記２つの端面のうちの一方の端面側に配置された表示部であって、表示パネルが筐体の外部に露出している第１の状態と表示パネルが筐体の内部を向いている第２の状態との間で切り替え可能な表示部と、を備える。
2017175658.tif 000002
【特許請求の範囲】
【請求項１】
互いに向かい合う２つの端面において開口する空間が内部に形成された筐体と、
前記空間に配置された２つのレンズと、
表示パネルを有し、前記２つの端面のうちの一方の端面側に配置された表示部であって、前記表示パネルが前記筐体の外部に露出している第１の状態と前記表示パネルが前記筐体の内部を向いている第２の状態との間で切り替え可能な表示部と、
を備える、表示装置。
【請求項２】
前記表示部は、前記第１の状態にあるとき、前記表示パネルに２次元画像を表示させる、請求項１に記載の表示装置。
【請求項３】
前記表示部は、前記第２の状態にあるとき、前記２つのレンズを通して見ることにより立体視が可能となる画像を前記表示パネルに表示させる、請求項１又は２に記載の表示装置。
【請求項４】
前記表示部が前記第１の状態にあるとき、前記画像を前記表示パネルに表示させる前に、前記表示部を前記第２の状態に切り替える旨の指示を前記表示パネルに表示させる制御部をさらに備える、請求項３に記載の表示装置。
【請求項５】
前記画像の表示が終了した際に、前記表示部を前記第１の状態に切り替える旨の指示を前記表示パネルに表示させる制御部をさらに備える、請求項３に記載の表示装置。
【請求項６】
前記表示部は、前記表示パネルに対する操作に応じた信号を出力するタッチセンサを有し、
前記表示部が前記第１の状態にあるとき、前記タッチセンサにより検出可能な操作入力を受け付ける操作画面を前記表示パネルに表示させる制御部をさらに備える、
請求項１〜３のいずれか１項に記載の表示装置。
【請求項７】
画像データを記憶する記憶部をさらに備え、
前記表示部は、前記記憶部から取得された画像データに基づく画像を前記表示パネルに表示させる、
請求項１〜６のいずれか１項に記載の表示装置。
【請求項８】
通信ネットワークとの間でデータの送受信を行う通信部をさらに備え、
前記表示部は、前記通信部を介して取得された画像データに基づく画像を前記表示パネルに表示させる、
請求項１〜６のいずれか１項に記載の表示装置。
【請求項９】
前記表示パネルの状態を判定する判定部をさらに備え、
前記表示部は、前記判定部の判定結果に応じた画像を前記表示パネルに表示させる、
請求項１〜８のいずれか１項に記載の表示装置。
【請求項１０】
前記表示部を前記第１の状態と前記第２の状態との間で切り替え可能に前記筐体に連結する連結部と、
前記連結部を駆動する駆動部と、
をさらに備える、請求項１〜９のいずれか１項に記載の表示装置。
【請求項１１】
前記表示部は１軸ヒンジを介して前記筐体に連結され、前記筐体に対して前記表示部を開閉することにより、前記第１の状態と前記第２の状態とが切り替えられる、請求項１〜９のいずれか１項に記載の表示装置。
【請求項１２】
前記表示部は２軸ヒンジを介して前記筐体に連結され、前記筐体に対して前記表示部の向きを反転させることにより、前記第１の状態と前記第２の状態とが切り替えられる、請求項１〜９のいずれか１項に記載の表示装置。
【請求項１３】
前記筐体に前記表示部を挿入可能な溝が設けられ、前記溝に対して前記表示部を挿抜することにより、前記第１の状態と前記第２の状態とが切り替えられる、請求項１〜９のいずれか１項に記載の表示装置。
【発明の詳細な説明】
【技術分野】
【０００１】
本発明は、表示装置に関し、特に、バーチャルリアリティ等のコンテンツの視聴に使用可能な表示装置に関する。
【背景技術】
【０００２】
ユーザの頭部に装着して用いられるヘッドマウントディスプレイと呼ばれる表示装置が、ゲームやエンターテインメントを含む様々な分野で利用されている。ヘッドマウントディスプレイは、表示パネル（映像表示部）及びレンズが内蔵されたメガネ型又はゴーグル型の装置である（例えば特許文献１参照）。ユーザは、レンズを介して表示パネルを見ることにより、立体感のある画像（静止画や動画）を鑑賞することができる。【０００３】
従来のヘッドマウントディスプレイにおいて、表示パネルに表示させる画像の画像データは、パーソナルコンピュータ等の外部機器から有線若しくは無線の通信回線又は通信ケーブルを介して送信され、ヘッドマウントディスプレイに入力される。また、画像の表示の開始及び終了といった操作が外部機器から行われることもある。【０００４】
近年では、スマートフォンのように画像の表示機能を有する携帯機器をゴーグル型の筐体を取り付け、ヘッドマウントディスプレイとして使用する技術も知られている（例えば特許文献２参照）。この場合、ユーザは、画像データを予めスマートフォンに記憶させておくことで、パーソナルコンピュータ等の外部機器を用いることなく、画像を表示させることができる。
【先行技術文献】
【特許文献】
【０００５】
【特許文献１】特開２０１０−２７３０２７号公報
【特許文献２】特開２０１５−１０６９１５号公報
【発明の概要】
【発明が解決しようとする課題】
【０００６】
スマートフォンを利用するヘッドマウントディスプレイにおいては、スマートフォンが備える表示パネルのタッチ操作機能を利用して、画像の表示開始の操作を行った後、表示パネルを内側に向けてスマートフォンを筐体に固定する。つまり、スマートフォンを筐体に固定している状態では、スマートフォンに対する操作を行うことができない。そのため、ユーザは、表示させる画像の選択や画像表示の開始といった操作を行うたびに、筐体からスマートフォンを取り外さなければならず、手間がかかり取扱いが面倒である。【０００７】
本発明は上記に鑑みてなされたものであって、内蔵されたレンズを介した表示パネルの観察が可能な表示装置において、各種操作を行う際にも手間を要することなく、簡単に取り扱うことができる表示装置を提供することを目的とする。
【課題を解決するための手段】
【０００８】
上記課題を解決するために、本発明の一態様である表示装置は、互いに向かい合う２つの端面において開口する空間が内部に形成された筐体と、前記空間に配置された２つのレンズと、表示パネルを有し、前記２つの端面のうちの一方の端面側に配置された表示部であって、前記表示パネルが前記筐体の外部に露出している第１の状態と前記表示パネルが前記筐体の内部を向いている第２の状態との間で切り替え可能な表示部と、を備えるものである。【０００９】
上記表示装置において、前記表示部は、前記第１の状態にあるとき、前記表示パネルに２次元画像を表示させても良い。【００１０】
上記表示装置において、前記表示部は、前記第２の状態にあるとき、前記２つのレンズを通して見ることにより立体視が可能となる画像を前記表示パネルに表示させても良い。【００１１】
上記表示装置は、前記表示部が前記第１の状態にあるとき、前記画像を前記表示パネルに表示させる前に、前記表示部を前記第２の状態に切り替える旨の指示を前記表示パネルに表示させる制御部をさらに備えても良い。【００１２】
上記表示装置は、前記画像の表示が終了した際に、前記表示部を前記第１の状態に切り替える旨の指示を前記表示パネルに表示させる制御部をさらに備えても良い。【００１３】
上記表示装置において、前記表示部は、前記表示パネルに対する操作に応じた信号を出力するタッチセンサを有し、前記表示部が前記第１の状態にあるとき、前記タッチセンサにより検出可能な操作入力を受け付ける操作画面を前記表示パネルに表示させる制御部をさらに備えても良い。【００１４】
上記表示装置は、画像データを記憶する記憶部をさらに備え、前記表示部は、前記記憶部から取得された画像データに基づく画像を前記表示パネルに表示させても良い。【００１５】
上記表示装置は、通信ネットワークとの間でデータの送受信を行う通信部をさらに備え、前記表示部は、前記通信部を介して取得された画像データに基づく画像を前記表示パネルに表示させても良い。【００１６】
上記表示装置は、前記表示パネルの状態を判定する判定部をさらに備え、前記表示部は、前記判定部の判定結果に応じた画像を前記表示パネルに表示させても良い。【００１７】
上記表示装置は、前記表示部を前記第１の状態と前記第２の状態との間で切り替え可能に前記筐体に連結する連結部と、前記連結部を駆動する駆動部と、をさらに備えても良い。【００１８】
上記表示装置において、前記表示部は１軸ヒンジを介して前記筐体に連結され、前記筐体に対して前記表示部を開閉することにより、前記第１の状態と前記第２の状態とが切り替えられるようにしても良い。【００１９】
上記表示装置において、前記表示部は２軸ヒンジを介して前記筐体に連結され、前記筐体に対して前記表示部の向きを反転させることにより、前記第１の状態と前記第２の状態とが切り替えられるようにしても良い。【００２０】
上記表示装置において、前記筐体に前記表示部を挿入可能な溝が設けられ、前記溝に対して前記表示部を挿抜することにより、前記第１の状態と前記第２の状態とが切り替えられるようにしても良い。
【発明の効果】
【００２１】
本発明によれば、筐体から表示部を取り外すことなく表示パネルの向きを変更することができるので、当該表示装置に対して各種操作を行う際にも手間がかからず、簡単に取り扱うことができる。
【図面の簡単な説明】
【００２２】
【図１】図１は、本発明の実施形態に係る表示装置を示す斜視図である。
【図２】図２は、本発明の実施形態に係る表示装置を示す斜視図である。
【図３】図３は、本発明の実施形態に係る表示装置を示す斜視図である。
【図４】図４は、図１のＡ−Ａ’断面図である。
【図５】図５は、図１に示す表示装置から画像表示装置を取り外した状態を示す斜視図である。
【図６】図６は、図２に示す表示装置から画像表示装置を取り外した状態を示す斜視図である。
【図７】図７は、表示パネルの向きを変化させている様子を示す斜視図である。
【図８】図８は、表示パネルの向きを変化させている様子を示す斜視図である。
【図９】図９は、図１に示す表示装置の概略的な機能構成を示すブロック図である。
【図１０】図１０は、本実施形態に係る表示装置の動作の一例を示すフローチャートである。
【図１１】図１１は、広告画面の例を示す模式図である。
【図１２】図１２は、表示装置の操作方法の画面の例を示す模式図である。
【図１３】図１３は、コンテンツの選択画面の例を示す模式図である。
【図１４】図１４は、コンテンツのスタート操作画面の例を示す模式図である。
【図１５】図１５は、本実施形態の変形例１に係る表示装置を示す斜視図である。
【図１６】図１６は、図１５に示す表示装置の概略的な機能構成を示すブロック図である。
【図１７】図１７は、本発明の実施形態の変形例５に係る表示装置を示す模式図である。
【図１８】図１８は、本発明の実施形態の変形例５に係る表示装置を示す模式図である。
【図１９】図１９は、本発明の実施形態の変形例６に係る表示装置を示す模式図である。
【図２０】図２０は、本発明の実施形態の変形例６に係る表示装置を示す模式図である。
【発明を実施するための形態】
【００２３】
以下、本発明の実施形態に係る表示装置について、図面を参照しながら説明する。なお、これらの実施形態によって本発明が限定されるものではない。また、各図面の記載において、同一部分には同一の符号を付して示している。
【００２４】
また、以下の説明において参照する図面は、本発明の内容を理解し得る程度に形状、大きさ、及び位置関係を概略的に示しているに過ぎない。即ち、本発明は各図で例示された形状、大きさ、及び位置関係のみに限定されるものではない。
【００２５】
実施形態
図１〜図３は、本発明の実施形態に係る表示装置を示す斜視図である。図４は、図１のＡ−Ａ’断面図である。図１〜図４に示すように、本実施形態に係る表示装置１は、筐体２と、画像等が表示される表示パネル３００を含む表示部を有する画像表示装置３と、画像表示装置３を筐体２に連結する連結部４とを備える。本実施形態においては、連結部４に保持部５を取り付け、この保持部５に画像表示装置３を保持させているが、画像表示装置３を連結部４に直接取り付けても良い。
【００２６】
連結部４は、表示パネル３００が筐体２の外部に露出してしている状態（第１の状態）と、表示パネル３００が筐体２の内部を向いている状態（第２の状態）との間で切り替え可能となるように、画像表示装置３を筐体２に連結している。図１は、表示パネル３００を筐体２の外側に向けることにより、表示パネル３００が露出している状態を示し、図２は、表示パネル３００が筐体２の内側を向いている状態を示す。また、図３は、表示装置１を背面側から見た状態を示す。なお、図４においては、画像表示装置３の内部の機構の図示を省略している。
【００２７】
筐体２は、互いに向かい合う２つの端面２０ａ、２０ｂを有する本体部２０と、本体部２０の一方の端面２０ｂ側に設けられた顔当て部２３とを有する。本体部２０は、肉厚な内部部材２１と、内部部材２１の外側を被覆する被覆部材２２とを含む。本体部２０及び顔当て部２３の各部を形成する材料は特に限定されないが、本実施形態においては樹脂材料を用い、射出成形技術によりこれらの各部を一体的に形成している。内部部材２１、被覆部材２２、及び顔当て部２３は、互いに異なる樹脂材料に用いて形成しても良いし、同じ樹脂材料を用いて形成しも良い。前者の場合、例えば、内部部材２１を強度の高い硬質プラスチックによって形成し、被覆部材２２をある程度弾性を有する手触りの良い軟質プラスチックにより形成し、顔当て部２３を弾性に富んだ軟質プラスチックにより形成する、というように材料を選択しても良い。また、各部に用いる材料の色を変化させることにより、表示装置１にデザイン性を持たせることができる。もちろん、内部部材２１、被覆部材２２、及び顔当て部２３を互いに同一の材料により形成しても良いし、これらの一部又は全部を樹脂材料以外の材料を用いて形成しても良い。
【００２８】
顔当て部２３は、ユーザが筐体２の内部を覗く際に顔を当てる部分である。本実施形態においては顔当て部２３の端面の形状を角丸の長方形状としているが（図３参照）、顔当て部２３の形状はこれに限定されない。例えば、顔当て部２３の一部を内側に湾曲させることにより鼻当て部を設けても良い。また、顔当て部２３の端面を、ユーザの額や頬の形状に合わせて湾曲させても良い。
【００２９】
本体部２０内には、２つの端面２０ａ、２０ｂにおいて開口する空間２４が形成されている。空間２４は、左右の目によってそれぞれ覗けるように２つの領域２４ａ、２４ｂに分割され、各領域２４ａ、２４ｂにレンズ６が嵌め込まれている。また、各領域２４ａ、２４ｂの端面２０ｂ側の端部には筒状のレンズ枠２６が設けられている。本実施形態においては２つのレンズ６及びレンズ枠２６の位置を固定しているが、これらのレンズ６及びレンズ枠２６の間隔を調整する機構をさらに設けても良い。
【００３０】
なお、本実施形態においては、空間２４を２つの領域２４ａ、２４ｂに完全に分割しているが、必ずしも完全に分割する必要はない。例えば、筐体２内に、２つの領域２４ａ、２４ｂをカバーする程度の一体的な空間を形成し、この空間内に仕切り板を設けることにより、２つの領域に分割しても良い。この場合、仕切り板は、空間の端部に達していても良いし、達していなくても良い。要は、左右の目で２つのレンズ６をそれぞれ通して空間内を見たときに、右目で見るべき領域と左目で見るべき領域とが混ざらないように、左右の目の視界を互いに遮ることができれば良い。
【００３１】
本体部２０の端面２０ａには、画像表示装置３を収納するための凹部２５が形成されている。画像表示装置３を凹部２５に収納すると、端面２０ａ側において空間２４が遮蔽され、端面２０ａ側から空間２４内への光の侵入を抑制することができる。
【００３２】
筐体２の端面２０ａ側の側面には、切り欠き２７が設けられている。この切り欠き２７は、表示パネル３００の向きを切り替える際に、ユーザが指を差し入れて保持部５ごと画像表示装置３を引っ張るために用いられる。また、切り欠き２７の近傍には、表示装置１にストラップやバンドを取り付けるためのストラップ止め２８が設けられている。さらに、筐体２に、レンズ６のピントを調節するためのダイヤル２９を設けても良い。
【００３３】
画像表示装置３は、タッチセンサ機能を有するディスプレイを備えた小型の機器である。画像表示装置３としては、表示装置１専用のディスプレイ装置を用いても良いし、スマートフォンや、携帯情報端末（ＰＤＡ）や、携帯型ゲーム装置等、ディスプレイを備えた汎用の装置を用いても良い。本実施形態においては、汎用のスマートフォンを画像表示装置３として用いている。
【００３４】
画像表示装置３の一方の主面（表面３０１）には、表示パネル３００が設けられている。表示パネル３００は、液晶又は有機ＥＬ（エレクトロルミネッセンス）によって形成され、後述するように、タッチセンサが備えられている。
【００３５】
画像表示装置３の他方の主面（背面３０２）には、カメラレンズ３０３が設けられている。画像表示装置３は、予めメモリに画像データが記憶されている画像の他、カメラレンズ３０３を介してリアルタイムに撮像された画像を表示しても良い。また、画像表示装置３の側面３０４には、データの送受信や充電を行うためのケーブル用端子３０５が設けられている。
【００３６】
図５は、図１に示す表示装置１から画像表示装置３を取り外した状態を示す斜視図である。図６は、図２に示す表示装置１から画像表示装置３を取り外した状態を示す斜視図である。保持部５は、画像表示装置３の側面３０４を挟持する枠体５０と、枠体５０の少なくとも一部と連続する底板５１とを有し、表示パネル３００が露出するように画像表示装置３を保持する。保持部５は、枠体５０の一部において連結部４に取り付けられている。
【００３７】
画像表示装置３を保持する際には、画像表示装置３の背面３０２（図２参照）が底板５１の表面５１１（図５参照）に当接するように、画像表示装置３を保持部５に嵌め込む。このような保持部５を介して画像表示装置３を連結部４に取り付けることにより、スマートフォンのような汎用の装置を画像表示装置３として使用することが可能となる。
【００３８】
図７及び図８は、画像表示装置３を回転させ、表示パネル３００の向きを変化させている様子を示す斜視図である。連結部４の構成は特に限定されず、本実施形態においては、２軸ヒンジを連結部４として用いている。図７及び図８に示すように、画像表示装置３の長手方向と平行な軸と、該長手方向と直交する軸との２軸回りに画像表示装置３を回転させることにより、表示パネル３００の向き（外向き又は内向き）を容易に反転させることができる。
【００３９】
図９は、画像表示装置３の概略的な機能構成を示すブロック図である。図９に示すように、画像表示装置３は、表示部３０と、記憶部３１と、制御部３２と、スピーカ３３と、動き検出部３４と、撮像部３５と、通信部３６とを備える。このうち、スピーカ３３、動き検出部３４、撮像部３５、及び通信部３６は必須ではなく、画像表示装置３として用いるスマートフォン等の装置の用途や機能に応じて適宜設けられる。
【００４０】
表示部３０は、表示パネル３００と、該表示パネル３００に対してなされた操作に応じた信号を出力するタッチセンサ３０６とを含む。表示部３０は、制御部３２の制御の下で画像や各種情報を表示パネル３００に表示すると共に、タッチセンサ３０６から出力された信号を制御部３２に入力する。
【００４１】
記憶部３１は、例えばＲＯＭやＲＡＭといった半導体メモリ等のコンピュータ読取可能な記憶媒体である。記憶部３１は、オペレーティングシステムプログラム及びドライバプログラムに加えて、各種機能を実行するアプリケーションプログラム等を記憶するプログラム記憶部３１１と、表示部３０に表示させる画像の画像データや、この画像と共に出力される音声の音声データや、上記プログラムの実行中に使用される各種データを記憶するコンテンツデータ記憶部３１２とを含む。
【００４２】
制御部３２は、例えばＣＰＵ（Central  Processing  Unit）を用いて構成され、プログラム記憶部３１１に記憶された各種プログラムを読み込むことにより、画像表示装置３の各部を統括的に制御すると共に、表示パネル３００の向きやタッチセンサ３０６から入力された信号に応じた画像を表示部３０に表示させる。
【００４３】
詳細には、制御部３２は、表示制御部３２１と、音声制御部３２２と、判定部３２３とを有する。表示制御部３２１は、表示パネル３００に表示させる画像を決定し、該画像の画像データをコンテンツデータ記憶部３１２から取得して表示部３０に出力する。音声制御部３２２は、画像の表示と同時に発生させる音声の音声データをコンテンツデータ記憶部３１２から取得し、スピーカ３３に出力する。判定部３２３は、表示パネル３００の向きを判定して判定結果を表示制御部３２１に出力する。この判定結果は、表示制御部３２１における画像の決定に用いられる。表示パネル３００の向きの判定方法は後述する。
【００４４】
スピーカ３３は、制御部３２から出力された音声データに基づいて音声を発生する。
【００４５】
動き検出部３４は、例えば、画像表示装置３に内蔵されたジャイロセンサ及び加速度センサを含み、画像表示装置３の回転運動を検出する。
【００４６】
撮像部３５は、例えばＣＣＤ（Charge  Coupled  Device）やＣＭＯＳ（Complementary  MOS）等の撮像素子を含み、カメラレンズ３０３に入射した光を検出して撮像を行う。
【００４７】
通信部３６は、有線又は無線の通信回線を介して他の機器と通信を行い、情報を送受信するためのインタフェースである。表示制御部３２１は、表示パネル３００に表示させる画像の画像データを、コンテンツデータ記憶部３１２から取得しても良いし、通信部３６を介して取得しても良い。
【００４８】
次に、判定部３２３による表示パネル３００の向きの判定方法を説明する。表示パネル３００の向きの判定方法としては種々の方法が挙げられるが、本実施形態においては、画像表示装置３に備えられている機能を用いた判定方法を説明する。
【００４９】
一例として、表示パネル３００の向きは、動き検出部３４の検出結果に基づいて判定することができる。詳細には、図７及び図８に示すように、画像表示装置３が２軸回りの回転運動を行ったことを動き検出部３４が検出したときに、判定部３２３は表示パネル３００の向きが反転したと判定する。
【００５０】
別の例として、撮像部３５が検出した光の光量に基づいて表示パネル３００の向きを判定しても良い。詳細には、表示パネル３００が外側を向いている場合、カメラレンズ３０３は筐体２の凹部２５の底面に面している状態となる。そこで、判定部３２３は、撮像部３５が検出した光の光量が所定値未満の場合には表示パネル３００が外側を向いていると判定し、該光量が所定値以上の場合には表示パネル３００が内側を向いていると判定する。
【００５１】
なお、撮像部３５の代わりに、光検出機能のみを有する光検出器を設けても良い。この場合、光検出器を画像表示装置３の２つの主面（表面３０１、背面３０２）のいずれに設けても良い。光検出器を表面３０１、即ち表示パネル３００と同じ面に設ける場合、検出した光の光量が所定値未満のときに表示パネル３００が内側を向いていると判定する。一方、光検出器を背面３０２、即ち表示パネル３００と反対側の面に設ける場合、検出した光の光量が所定値以上のときに表示パネル３００が内側を向いていると判定する。
【００５２】
このような表示装置１においては、表示パネル３００に対するタッチ操作により、ユーザ所望の画像を表示パネル３００に表示させることができる。表示パネル３００に表示させる画像の画像データは、記憶部３１に記憶させたものであっても良いし、通信ネットワークを介して配信（所謂ストリーミング配信）されるものであっても良い。
【００５３】
表示パネル３００に表示させる画像の種類は特に限定されない。例えば、表示パネル３００を外側に向けた状態で２Ｄ画像（２次元画像）を表示させても良い。また、表示パネル３００を内側に向けた状態で、２つのレンズ６を通して見ることにより視差を利用した立体視が可能となる画像、所謂３Ｄ画像を表示させても良い。この場合、ユーザはバーチャルリアリティを鑑賞することができる。ユーザは、バーチャルリアリティの鑑賞を開始する際、表示パネル３００を外側に向けた状態で、表示パネル３００に対するタッチ操作により、表示させる３Ｄ画像を選択した後又は３Ｄ画像の表示開始の指示を入力した後、表示パネル３００を内側に向ければ良い。
【００５４】
表示装置１においては、３Ｄ画像を選択する操作又は３Ｄ画像の表示を開始させる操作が行われた際、画像表示を開始する前に、制御部３２が、例えば「表示パネルを裏返してください。」といった指示のメッセージを表示パネル３００に表示させても良い。また、３Ｄ画像の表示が終了した際に、制御部３２が、例えば「終了しました。表示パネルを裏返してください。」といった指示のメッセージを表示パネル３００に表示させても良い。
【００５５】
３Ｄ画像の表示開始のタイミングは、例えば、３Ｄ画像を選択する操作又は３Ｄ画像の表示を開始させる操作が行われたタイミングから所定時間後（例えば数秒〜数十秒後）とすることが好ましい。或いは、表示パネル３００が内側を向いたと判定部３２３が判定した際に、３Ｄ画像の表示を開始させても良い。言い換えると、制御部３２において、表示パネル３００が外側を向いているときには３Ｄ画像を表示させないという制御を行うこととしても良い。
【００５６】
制御部３２は、タッチ操作による入力を受け付ける操作画面を、表示パネル３００が外側を向いているときにのみ表示させる制御を行っても良い。或いは、表示パネル３００が内側を向いているときには、タッチセンサ３０６からの入力を受け付けないようにしても良い。これにより、表示パネル３００が内側を向いているときに、筐体２内から表示パネル３００に何かが接触した場合であっても、ユーザの意図しない操作がなされるのを防ぐことができる。
【００５７】
表示装置１は、用途に応じたアプリケーションプログラムをインストールすることにより、様々な場面で使用することができる。以下においては、店舗の店頭に表示装置１を設置し、来店した客自身に操作させることにより、宣伝や商品の販売促進に利用する例を説明する。具体的には、表示装置１を旅行代理店の店頭に設置するものとする。この場合、コンテンツデータ記憶部３１２には、当該旅行代理店の広告用の画像データや、種々の旅行先の動画（映像）をバーチャルリアリティとして体験させるための画像データ及び音声データが予め記憶されているものとする。
【００５８】
表示パネル３００を外側に向けた状態で表示装置１の動作を開始させると、制御部３２は広告用の画像データをコンテンツデータ記憶部３１２から取得して表示部３０に出力する。それにより、図１１に示すように、当該旅行代理店（例えば「ＡＢＣ旅行」）を宣伝する広告画面Ｍ１が表示パネル３００に表示される（ステップＳ１０）。
【００５９】
なお、制御部３２は、予め決められた広告を表示パネル３００に表示させても良いし、複数の広告の中から選択された広告を表示させても良い。後者の場合、制御部３２は、広告の選択画面を表示パネル３００に表示させ、表示パネル３００に対する所定の操作（例えばタッチ操作）により、表示すべき広告をユーザ（店舗のスタッフ）に選択させる。例えば、１つの店舗に複数の表示装置１を設置し、それぞれの表示装置１に、店舗の案内、特定のキャンペーンの宣伝、お客様の声、といった互いに異なる広告を表示させても良い。
【００６０】
続いて制御部３２は、表示パネル３００に対して所定の操作があったか否かを判定する（ステップＳ１１）。具体的には、広告画面Ｍ１内のいずれかの領域にタッチする操作があったか否かを判定する。所定の操作があった場合（ステップＳ１１：Ｙｅｓ）、制御部３２は、図１２に示すように、表示装置１の操作方法を示す画面Ｍ２を表示パネル３００に表示させる（ステップＳ１２）。一方、所定の操作がない場合（ステップＳ１１：Ｎｏ）、制御部３２は、広告画面Ｍ１を表示パネル３００に表示させ続ける（ステップＳ１０）。
【００６１】
図１２に示す画面Ｍ２には、操作方法を表すテキストｍ２０と、別の画面に遷移させる指示を入力するためのアイコンｍ２１、ｍ２２とが表示されている。ユーザ（来店した客）は、表示パネル３００の向きを反転させる方法を詳しく知りたい場合、例えば「詳しく見る」と表示されたアイコンｍ２１にタッチする。それにより、画像表示装置３を回転させて表示パネル３００の向きを反転させる方法（図７、図８参照）が、表示パネル３００に表示される。また、ユーザは、バーチャルリアリティを体験したいコンテンツ（行ってみたい旅先）の選択画面を表示させたい場合には、例えば「旅先を選ぶ」と表示されたアイコンｍ２２にタッチする。
【００６２】
制御部３２は、コンテンツの選択画面を表示させる指示が入力されたか否かを判定する（ステップＳ１３）。指示が入力された場合（ステップＳ１３：Ｙｅｓ）、制御部３２は、図１３に示すコンテンツの選択画面Ｍ３を表示パネル３００に表示させる（ステップＳ１４）。一方、指示が入力されない場合（ステップＳ１３：Ｎｏ）、制御部３２は、所定時間の経過後、再び広告画面Ｍ１を表示パネル３００に表示させる（ステップＳ１０）。
【００６３】
図１３に示す選択画面Ｍ３には、表示させるコンテンツ（図１３においては旅先）を選択するための複数のアイコンｍ３０と、前の画面に戻る指示を入力するためのアイコンｍ３１とが表示されている。ユーザは、複数のアイコンｍ３０のいずれかにタッチすることにより、バーチャルリアリティを体験してみたい旅先を選択することができる。また、ユーザは、操作方法を再び表示させたい場合には、アイコンｍ３１にタッチすれば良い。
【００６４】
制御部３２は、コンテンツの選択操作がなされたか否かを判定する（ステップＳ１５）。つまり、複数のアイコンｍ３０のいずれかにタッチする操作がなされたか否かを判定する。選択操作がなされた場合（ステップＳ１５：Ｙｅｓ）、制御部３２は、図１４に示すコンテンツのスタート操作画面Ｍ４を表示パネル３００に表示させる（ステップＳ１６）。一方、選択操作がなされない場合（ステップＳ１５：Ｎｏ）、制御部３２はさらに、前の画面に戻る指示が入力されたか否かを判定する（ステップＳ１７）。前の画面に戻る指示が入力された場合（ステップＳ１７：Ｙｅｓ）、制御部３２は、図１２に示す操作方法の画面Ｍ２を表示パネル３００に再び表示させる（ステップＳ１２）。一方、前の画面に戻る指示が入力されない場合（ステップＳ１７：Ｎｏ）、制御部３２は、コンテンツの選択画面Ｍ３を表示パネル３００に表示させ続ける（ステップＳ１４）。
【００６５】
図１４に示すスタート操作画面Ｍ４には、ユーザが選択したコンテンツ（例えば、旅先としてハワイ）を表すテキストメッセージｍ４０と、ユーザに対する指示を表すテキストメッセージｍ４１と、コンテンツをスタートさせる指示を入力するためのアイコンｍ４２と、前の画面に戻る指示を入力するためのアイコンｍ４３とが表示されている。併せて、選択画面Ｍ３においてユーザがタッチしたアイコンｍ３０の拡大画像ｍ４４を、スタート操作画面Ｍ４に表示しても良い。ユーザは、コンテンツの表示を開始させたい場合、テキストメッセージｍ４１に従い、アイコンｍ４２にタッチし、表示パネル３００の向きを外向きから内向きに反転させる。
【００６６】
制御部３２は、コンテンツのスタート操作がなされたか否かを判定する（ステップＳ１８）。つまり、アイコンｍ４２にタッチする操作がなされたか否かを判定する。スタート操作がなされた場合（ステップＳ１８：Ｙｅｓ）、制御部３２は続いて、表示パネル３００が反転されて内側に向けられたか否かを判定する（ステップＳ１９）。表示パネル３００が反転された場合、制御部３２は、ステップＳ１５で選択されたコンテンツの画像データをコンテンツデータ記憶部３１２から取得し、表示部３０に出力して表示を開始させる（ステップＳ２１）。これにより、２つのレンズ６を通して見ることにより立体視が可能となる画像が表示パネル３００に表示され、ユーザはバーチャルリアリティのコンテンツを鑑賞することができる。
【００６７】
一方、ステップＳ１８においてスタート操作がなされない場合（ステップＳ１８：Ｎｏ）、制御部３２は、前の画面に戻る指示が入力されたか否かを判定する（ステップＳ２０）。前の画面に戻る指示が入力された場合（ステップＳ２０：Ｙｅｓ）、制御部３２は、図１３に示すコンテンツの選択画面Ｍ３を表示パネル３００に再び表示させる（ステップＳ１４）。一方、前の画面に戻る指示が入力されない場合（ステップＳ２０：Ｎｏ）、制御部３２はスタート操作画面Ｍ４を表示させ続ける（ステップＳ１６）。
【００６８】
また、ステップＳ１９において表示パネル３００が反転されない場合（ステップＳ１９：Ｎｏ）、制御部３２は、例えば「表示パネルを反転させてください」というメッセージを表示パネル３００に表示させるなどして（ステップＳ２２）、ユーザに操作を促す。或いは、同様の内容の音声メッセージを発生させても良い。
【００６９】
コンテンツの表示が終了すると（ステップＳ２３）、制御部３２は、表示パネルが再び反転され、外側に向けられた否かを判定する（ステップＳ２４）。表示パネル３００が反転されない場合（ステップＳ２４：Ｎｏ）、制御部３２は、例えば「コンテンツは終了しました。表示パネルを反転させてください。」といったメッセージを表示パネル３００に表示させて（ステップＳ２５）、ユーザに操作を促しても良い。この際、同様の内容の音声メッセージを発生させても良い。
【００７０】
一方、表示パネル３００が反転された場合（ステップＳ２４：Ｙｅｓ）、制御部３２は、表示装置１の動作を終了するか否かを判定する（ステップＳ２６）。制御部３２は、例えば画像表示装置３の電源をオフにするといった特定の操作がなされた場合、動作を終了すると判定する（ステップＳ２６：Ｙｅｓ）。一方、動作を終了しない場合（ステップＳ２６：Ｎｏ）、ステップＳ１０に戻る。
【００７１】
以上説明したように、本実施形態によれば、表示パネル３００が筐体２の外側を向く状態と内側を向く状態とで切り替え可能となるように画像表示装置３を筐体２に連結するので、画像表示装置３を筐体２から取り外すといった手間を要することなく、表示装置１を様々な用途に使用することができる。即ち、表示パネル３００を外側に向けた状態では、例えば、広告用のデジタルサイネージとして、当該表示装置１の操作方法の表示装置として、或いはタッチ操作による入力デバイスとして、表示装置１を用いることができる。また、表示パネル３００を内側に向けた状態では、例えば、バーチャルリアリティのコンテンツの表示用として表示装置１を用いることができる。
【００７２】
また、本実施形態によれば、スマートフォンのような記憶部３１や制御部３２を内蔵する汎用の装置を画像表示装置３として用いるので、パーソナルコンピュータ等の外部機器を用いることなく、画像の表示を行うことができる。
【００７３】
また、この場合、スマートフォン等に慣れたユーザであれば、簡単に表示装置１を操作することができる。従って、表示装置１を店舗の店頭に設置する場合であっても、店舗のスタッフを煩わせることなく、来店した客自身が操作を行い、バーチャルリアリティのコンテンツを楽しむことができる。
【００７４】
また、本実施形態によれば、ユーザは、表示装置１を手に取りながら、筐体２の外側に向けられた表示パネル３００を見ることで、表示装置１の操作方法をより簡単に理解することができる。従って、店舗のスタッフは、操作方法を個々の客に説明する必要がなくなり、店舗における業務効率を向上させることが可能となる。
【００７５】
また、本実施形態によれば、表示パネル３００が外向きから内向きに反転されたか否かを制御部３２が判定し、反転されたと判定した場合にコンテンツの表示を開始するので、ユーザにとっても適切なタイミングでコンテンツの表示が始まることになる。つまり、ユーザが表示パネル３００を反転させるのに手間取っている間にコンテンツの表示が始まってしまう、或いは、表示パネル３００を反転させ、コンテンツを鑑賞する準備が整っているにもかかわらず表示がなかなか始まらないといった事態を防ぐことができる。
【００７６】
なお、上記実施形態において、ステップＳ１８でスタート操作がなされた後、表示パネル３００が反転されたか否かの判定（ステップＳ１９参照）を行わずに、スタート操作がなされてから所定時間が経過したことをトリガーとして、ステップＳ１５で選択されたコンテンツの表示を開始させても良い（ステップＳ２１参照）。この場合、ステップＳ２２におけるメッセージの表示は省略される。同様に、ステップＳ２３においてコンテンツの表示が終了した後にも、表示パネル３００が反転されたか否かの判定（ステップＳ２４参照）を行わずに、直接、ステップＳ２５におけるメッセージの表示を行うようにしても良い。これらの場合、制御部３２の動作を軽くすることができる。
【００７７】
変形例１
図１５は、上記実施形態の変形例１に係る表示装置を示す斜視図である。図１６は、同表示装置の概略的な機能構成を示すブロック図である。図１５及び図１６に示すように、変形例１に係る表示装置１Ａは、筐体２と、表示パネル３００及びタッチセンサ３０６を含む表示部７と、筐体２に内蔵されたコントローラ８とを備える。表示部７は連結部４によって、表示パネル３００が筐体２の外側を向く状態と、表示パネル３００が筐体２の内側を向く状態との間で切り替え可能となるように、筐体２に連結されている。なお、筐体２及び連結部４の構成は、上記実施形態と同様である。また、図１５は、表示部７の向きを切り替える途中の状態であり、表示部７の一部を筐体２の凹部２５から引き出した状態を示している。
【００７８】
図１６に示すように、コントローラ８は、記憶部３１及び制御部３２を備える。これらの記憶部３１及び制御部３２の構成及び動作は上記実施形態と同様である（図９参照）。この他、上記実施形態と同様に、表示装置１Ａにスピーカ３３、動き検出部３４、撮像部３５若しくは光検出器、又は通信部３６をさらに設けても良い。このうち、動き検出部３４又は撮像部３５若しくは光検出器を表示パネル３００の向きの判定に用いる場合には、これらを表示部７側に設けると良い。スピーカ３３及び通信部３６については、筐体２側と表示部７側とのいずれに設けても良い。
【００７９】
本変形例１において、表示パネル３００の向きの判定は、上記実施形態と同様に、動き検出部３４が検出した表示部７の回転運動に基づいて行っても良いし、撮像部３５若しくは光検出器が検出した光の光量に基づいて行っても良い。或いは、表示部７が筐体２の凹部２５に収納された際の表示部７の状態（表示パネル３００の向き）に応じて異なる信号を出力するスイッチを凹部２５に設け、この信号からの出力信号に基づいて、判定部３２３が表示パネル３００の向きを判定することとしても良い。
【００８０】
変形例２
上記変形例１においては、コントローラ８を筐体２に内蔵させたが、このコントローラ８を筐体２に対して外付けにしても良い。この場合、表示部７とコントローラ８との間での画像データや制御信号等の送受信は、通信ケーブルを介した有線により行っても良いし、ＷｉＦｉ（Wireless  Fidelity）やブルートゥース（登録商標）等の規格による無線通信により行っても良い。
【００８１】
変形例３
上記実施形態及び変形例１、２においては、表示パネル３００の向きを切り替える際に、画像表示装置３又は表示部７を手動で回転させたが、連結部４にモータ等の駆動部を設け、電気的な制御により画像表示装置３又は表示部７を自動で回転させることとしても良い。この場合、駆動部を始動させるためのスイッチを筐体２に設けても良いし、表示パネル３００に表示された画面に対する所定の操作により駆動部が始動するようにしても良い。例えば、図１４に示すスタート操作画面Ｍ４において、ユーザがアイコンｍ４２をタッチすると、駆動部が始動して画像表示装置３が回転し、表示パネル３００が内側を向くようにしても良い。
【００８２】
変形例４
上記実施形態及び変形例１、２においては、保持部５に保持された画像表示装置３又は表示部７を筐体２の凹部２５内に収納することとしたが、必ずしも画像表示装置３又は表示部７を凹部２５内に収納する必要はない。例えば、凹部２５の端面の寸法を画像表示装置３の主面の寸法よりも小さくし、画像表示装置３の表示部３０を凹部２５の端面に当接させることとしても良い。要は、画像表示装置３又は表示部７によって凹部２５を塞ぐことができれば良い。
【００８３】
変形例５
上記実施形態においては、保持部５に保持された画像表示装置３を筐体２に対して反転させることにより、表示パネル３００が筐体２の外部に露出している第１の状態と、表示パネル３００が筐体２の内部を向いている第２の状態とを切り換えることとした。しかしながら、第１の状態と第２の状態とを切り換える方式はこれに限定されない。
【００８４】
図１７及び図１８は、本発明の実施形態の変形例５に係る表示装置を示す模式図である。表示パネル３００の状態を切り換える方式の一例として、表示装置１Ｂの筐体２Ｂに、画像表示装置３を挿入可能な溝６０を設け、この溝６０に対し、画像表示装置３をスライドして挿抜する方式が挙げられる。なお、筐体２Ｂの構造は、溝６０及び画像表示装置３を挿抜する機構を除き、上記実施形態における筐体２の構造と同様である。図１７に示すように、画像表示装置３を溝６０に挿入した状態では、表示パネル３００が筐体２Ｂの内部を向いた状態となり、ユーザは筐体２Ｂを介して３Ｄ画像を鑑賞することができる。これに対し、図１８に示すように、画像表示装置３を溝６０から抜き出した状態では、表示パネル３００が筐体２Ｂの外部に露出した状態となり、ユーザは表示パネル３００に対するタッチ操作を行ったり、２Ｄ画像を鑑賞したりすることができる。
【００８５】
画像表示装置３を抜き出すための機構としては、例えばバネを利用したポップアップ機構が挙げられる。画像表示装置３を抜き出す際の操作としては、画像表示装置３を挿入する方向に一旦押し込む操作であっても良いし、専用に設けたスイッチを押す操作であっても良い。或いは、モータを用いて画像表示装置３を挿抜することとしても良い。本変形例５によれば、ユーザは、表示パネル３００の第１の状態と第２の状態とを、簡単な操作で切り換えることが可能となる。
【００８６】
変形例６
図１９及び図２０は、本発明の実施形態の変形例６に係る表示装置を示す模式図である。表示パネル３００の第１の状態と第２の状態とを切り換える方式の別の例として、表示装置１Ｃ、１Ｄの筐体２Ｃ、２Ｄに対し、保持部５に保持された画像表示装置３を開閉する方式が挙げられる。なお、筐体２Ｃ、２Ｄの構造は、連結部４Ｃ、４Ｄの構成を除き、上記実施形態における筐体２の構造と同様である。
【００８７】
例えば、図１９に示すように、１軸ヒンジによって構成された連結部４Ｃにより保持部５を筐体２Ｃに連結する。この場合、画像表示装置３を筐体２Ｃに対して略１８０°開くことにより、表示パネル３００が筐体２Ｃの外部に露出した状態となり、ユーザは表示パネル３００に対するタッチ操作や２Ｄ画像の鑑賞等を行うことができる。これに対し、画像表示装置３を閉じることにより、表示パネル３００が筐体２Ｃの内部を向いた状態となり、ユーザは筐体２Ｃを介して３Ｄ画像を鑑賞することができる。
【００８８】
画像表示装置３を開く角度は略１８０°までに限定されず、図２０に示すように、筐体２Ｄに対して画像表示装置３を例えば略２７０°まで開けるように、連結部４Ｄを構成しても良い。また、画像表示装置３を開く方向は、図１９及び図２０に示すように画像表示装置３の長手方向と直交する方向に限定されない。例えば、筐体の短手方向に連結部を設けることにより、画像表示装置３を短手方向と直交する方向に開くこととしても良い。さらに、連結部４Ｃ、４Ｄにモータ等の駆動部を設け、電気的な制御により画像表示装置３を自動で開閉することとしても良い。本変形例６においても、ユーザは、表示パネル３００の第１の状態と第２の状態とを、簡単な操作で切り換えることが可能となる。
【符号の説明】
【００８９】
１、１Ａ〜１Ｄ  表示装置
２、２Ｂ〜２Ｄ  筐体
３  画像表示装置
４、４Ｃ、４Ｄ  連結部
５  保持部
６  レンズ
７  表示部
８  コントローラ
２０  本体部
２０ａ、２０ｂ  端面
２１  内部部材
２２  被覆部材
２３  顔当て部
２４  空間
２４ａ、２４ｂ  領域
２５  凹部
２６  レンズ枠
２７  切り欠き
２８  ストラップ止め
２９  ダイヤル
３０  表示部
３１  記憶部
３２  制御部
３３  スピーカ
３４  動き検出部
３５  撮像部
３６  通信部
３７  向き検出部
５０  枠体
５１  底板
６０  溝
３００  表示パネル
３０１  表面
３０２  背面
３０３  カメラレンズ
３０４  側面
３０５  ケーブル用端子
３０６  タッチセンサ
３１１  プログラム記憶部
３１２  コンテンツデータ記憶部
３２１  表示制御部
３２２  音声制御部
３２３  判定部
５１１  表面
【図１】
2017175658.tif 000003
【図２】
2017175658.tif 000004
【図３】
2017175658.tif 000005
【図４】
2017175658.tif 000006
【図５】
2017175658.tif 000007
【図６】
2017175658.tif 000008
【図７】
2017175658.tif 000009
【図８】
2017175658.tif 000010
【図９】
2017175658.tif 000011
【図１０】
2017175658.tif 000012
【図１１】
2017175658.tif 000013
【図１２】
2017175658.tif 000014
【図１３】
2017175658.tif 000015
【図１４】
2017175658.tif 000016
【図１５】
2017175658.tif 000017
【図１６】
2017175658.tif 000018
【図１７】
2017175658.tif 000019
【図１８】
2017175658.tif 000020
【図１９】
2017175658.tif 000021
【図２０】
2017175658.tif 000022
【手続補正書】
【提出日】平成29年8月17日(2017.8.17)
【手続補正１】
【補正対象書類名】特許請求の範囲
【補正対象項目名】全文
【補正方法】変更
【補正の内容】
【特許請求の範囲】
【請求項１】
互いに向かい合う２つの端面において開口する空間が内部に形成された筐体と、
前記空間に配置された２つのレンズと、
表示パネルを有し、前記２つの端面のうちの一方の端面側に配置された表示部であって、前記表示パネルが前記筐体の外部に露出している第１の状態と前記表示パネルが前記筐体の内部を向いている第２の状態とを、前記筐体に対して当該表示部の向きを反転させることにより切り替え可能な表示部と、
を備える、表示装置。
【請求項２】
前記表示部は、前記第１の状態にあるとき、前記表示パネルに２次元画像を表示させる、請求項１に記載の表示装置。
【請求項３】
前記表示部は、前記第２の状態にあるとき、前記２つのレンズを通して見ることにより立体視が可能となる画像を前記表示パネルに表示させる、請求項１又は２に記載の表示装置。
【請求項４】
前記表示部が前記第１の状態にあるとき、前記画像を前記表示パネルに表示させる前に、前記表示部を前記第２の状態に切り替える旨の指示を前記表示パネルに表示させる制御部をさらに備える、請求項３に記載の表示装置。
【請求項５】
前記画像の表示が終了した際に、前記表示部を前記第１の状態に切り替える旨の指示を前記表示パネルに表示させる制御部をさらに備える、請求項３に記載の表示装置。
【請求項６】
前記表示部は、前記表示パネルに対する操作に応じた信号を出力するタッチセンサを有し、
前記表示部が前記第１の状態にあるとき、前記タッチセンサにより検出可能な操作入力を受け付ける操作画面を前記表示パネルに表示させる制御部をさらに備える、
請求項１〜３のいずれか１項に記載の表示装置。
【請求項７】
画像データを記憶する記憶部をさらに備え、
前記表示部は、前記記憶部から取得された画像データに基づく画像を前記表示パネルに表示させる、
請求項１〜６のいずれか１項に記載の表示装置。
【請求項８】
通信ネットワークとの間でデータの送受信を行う通信部をさらに備え、
前記表示部は、前記通信部を介して取得された画像データに基づく画像を前記表示パネルに表示させる、
請求項１〜６のいずれか１項に記載の表示装置。
【請求項９】
前記表示パネルの状態を判定する判定部をさらに備え、
前記表示部は、前記判定部の判定結果に応じた画像を前記表示パネルに表示させる、
請求項１〜８のいずれか１項に記載の表示装置。
【請求項１０】
前記表示部を前記第１の状態と前記第２の状態との間で切り替え可能に前記筐体に連結する連結部と、
前記連結部を駆動する駆動部と、
をさらに備える、請求項１〜９のいずれか１項に記載の表示装置。
【請求項１１】
（削除）
【請求項１２】
前記表示部は２軸ヒンジを介して前記筐体に連結されいる、請求項１〜９のいずれか１項に記載の表示装置。
【請求項１３】
（削除）
【請求項１４】
前記第１の状態において、前記表示部により前記筐体の前記一方の端面側の開口を閉塞可能である、請求項１〜１０、１２のいずれか１項に記載の表示装置。
【請求項１５】
互いに向かい合う２つの端面において開口する空間が内部に形成された筐体と、
前記空間に配置された２つのレンズと、
前記２つの端面のうちの一方の端面側に配置され、画像を表示可能な表示パネルを有する画像表示装置を前記筐体に直接又は間接的に連結する連結部と、
を備え、
前記連結部により前記画像表示装置を前記筐体に直接又は間接的に連結したまま、前記表示パネルが前記筐体の外部に露出している第１の状態と前記表示パネルが前記筐体の内部を向いている第２の状態とを、前記筐体に対して前記画像表示装置の向きを反転させることにより切り替え可能である表示装置用品。
【請求項１６】
前記表示パネルを露出させた状態で前記画像表示装置を保持可能な保持部をさらに備え、
前記連結部は、前記保持部を介して前記画像表示装置を前記筐体に連結する、請求項１５に記載の表示装置用品。
【請求項１７】
前記連結部は２軸ヒンジを含む、請求項１５又は１６に記載の表示装置用品。
【請求項１８】
前記第１の状態において、前記画像表示装置により前記筐体の前記一方の端面側の開口を閉塞可能である、請求項１５〜１７のいずれか１項に記載の表示装置用品。
【手続補正書】
【提出日】平成30年10月25日(2018.10.25)
【手続補正１】
【補正対象書類名】特許請求の範囲
【補正対象項目名】全文
【補正方法】変更
【補正の内容】
【特許請求の範囲】
【請求項１】
互いに向かい合う２つの端面において開口する空間が内部に形成された筐体と、
前記空間に配置された２つのレンズと、
表示パネルを有し、前記２つの端面のうちの一方の端面側に配置された表示部と、
前記表示部を前記筐体に連結する連結部であって、前記筐体に対して前記表示部の向きを反転させることにより、前記表示部を、前記表示パネルが前記筐体の外部に露出している第１の状態と前記表示パネルが前記筐体の内部を向いている第２の状態との間で切り替え可能に連結する連結部と、
を備える、表示装置。
【請求項２】
前記表示部は、前記第１の状態にあるとき、前記表示パネルに２次元画像を表示させる、請求項１に記載の表示装置。
【請求項３】
前記表示部は、前記第２の状態にあるとき、前記２つのレンズを通して見ることにより立体視が可能となる画像を前記表示パネルに表示させる、請求項１又は２に記載の表示装置。
【請求項４】
前記表示部が前記第１の状態にあるとき、前記画像を前記表示パネルに表示させる前に、前記表示部を前記第２の状態に切り替える旨の指示を前記表示パネルに表示させる制御部をさらに備える、請求項３に記載の表示装置。
【請求項５】
前記画像の表示が終了した際に、前記表示部を前記第１の状態に切り替える旨の指示を前記表示パネルに表示させる制御部をさらに備える、請求項３に記載の表示装置。
【請求項６】
前記表示部は、前記表示パネルに対する操作に応じた信号を出力するタッチセンサを有し、
前記表示部が前記第１の状態にあるとき、前記タッチセンサにより検出可能な操作入力を受け付ける操作画面を前記表示パネルに表示させる制御部をさらに備える、
請求項１〜３のいずれか１項に記載の表示装置。
【請求項７】
画像データを記憶する記憶部をさらに備え、
前記表示部は、前記記憶部から取得された画像データに基づく画像を前記表示パネルに表示させる、
請求項１〜６のいずれか１項に記載の表示装置。
【請求項８】
通信ネットワークとの間でデータの送受信を行う通信部をさらに備え、
前記表示部は、前記通信部を介して取得された画像データに基づく画像を前記表示パネルに表示させる、
請求項１〜６のいずれか１項に記載の表示装置。
【請求項９】
前記表示パネルの状態を判定する判定部をさらに備え、
前記表示部は、前記判定部の判定結果に応じた画像を前記表示パネルに表示させる、
請求項１〜８のいずれか１項に記載の表示装置。
【請求項１０】
前記連結部を駆動する駆動部をさらに備える、請求項１〜９のいずれか１項に記載の表示装置。
【請求項１１】
前記連結部は２軸ヒンジを含む、請求項１〜９のいずれか１項に記載の表示装置。
【請求項１２】
前記第２の状態において、前記表示部により前記筐体の前記一方の端面側の開口を閉塞可能である、請求項１〜１１のいずれか１項に記載の表示装置。
【請求項１３】
互いに向かい合う２つの端面において開口する空間が内部に形成された筐体と、
前記空間に配置された２つのレンズと、
前記２つの端面のうちの一方の端面側に配置され、画像を表示可能な表示パネルを有する画像表示装置を前記筐体に直接又は間接的に連結する連結部と、
を備え、
前記連結部により前記画像表示装置を前記筐体に直接又は間接的に連結したまま、前記表示パネルが前記筐体の外部に露出している第１の状態と前記表示パネルが前記筐体の内部を向いている第２の状態とを、前記筐体に対して前記画像表示装置の向きを反転させることにより切り替え可能である表示装置用品。
【請求項１４】
前記表示パネルを露出させた状態で前記画像表示装置を保持可能な保持部をさらに備え、
前記連結部は、前記保持部を介して前記画像表示装置を前記筐体に連結する、請求項１３に記載の表示装置用品。
【請求項１５】
前記連結部は２軸ヒンジを含む、請求項１３又は１４に記載の表示装置用品。
【請求項１６】
前記第２の状態において、前記画像表示装置により前記筐体の前記一方の端面側の開口を閉塞可能である、請求項１３〜１５のいずれか１項に記載の表示装置用品。
【国際調査報告】
2017175658.tif 000023
2017175658.tif 000024